【事件の表示】
　特願２０１０−１４１３９９号「照明装置」拒絶査定不服審判事件〔平成２４年　１月１２日出願公開、特開２０１２−９１５５号、請求項の数（６）〕について、次のとおり審決する。
【結　論】
　原査定を取り消す。
　本願の発明は、特許すべきものとする。
【理　由】
第１　手続の経緯  
　本願は、平成２２年６月２２日の出願であって、平成２６年２月２１日付けで拒絶理由が通知され、同年４月２５日に意見書及び手続補正書が提出され、同年９月１６日付けで最後の拒絶理由が通知され、同年１１月２６日に意見書及び手続補正書が提出され、平成２７年１月１９日付けで手続補正指令書（方式）が通知され、同年１月２７日に手続補正書が提出され、同年４月２８日付けで補正の却下の決定がされるとともに拒絶査定がされ、同年７月２８日に拒絶査定不服審判が請求されるとともに手続補正書が提出され、平成２８年９月２６日付けで拒絶理由が通知され、同年１１月２８日に意見書及び手続補正書が提出されたものである。 
 　 
第２　本願発明  
　本願の請求項１〜６に係る発明（以下「本願発明１〜６」という。）は、平成２８年１１月２８日付けの手続補正により補正された特許請求の範囲の請求項１〜６に記載された事項により特定される次のとおりのものである。  　
「【請求項１】
　複数の発光ダイオードと、
　複数の前記発光ダイオードを配置した回路基板と、
　前記回路基板を収容し、且つ、複数の前記発光ダイオードの発光を出射させるための開口または光透過面を有するハウジング部材と、
　前記回路基板から隔離して、複数の前記発光ダイオードを覆った状態で移動できるように、前記開口または前記光透過面に配設された１枚の波長変換カバーと、を備え、
　前記１枚の波長変換カバーは、
　各前記発光ダイオードの発光波長を、第１の発光波長に変換する第１のサブ領域と、第２の発光波長に変換する第２のサブ領域とを含む複数の波長変換領域を有し、
　前記第１のサブ領域と前記第２のサブ領域とは、蛍光体組成、蛍光体量または厚みの少なくとも１つが互いに異なり、
　複数の前記発光ダイオードは、それぞれ同時に前記第１のサブ領域または前記第２のサブ領域のいずれか一方に対向し、それぞれが前記第１のサブ領域に対向する位置から前記第２のサブ領域に対向する位置、または、それぞれが前記第２のサブ領域から前記第１のサブ領域に対向する位置に前記波長変換カバーを移動させることにより、出射される光の発光色が変化することを特徴とする照明装置。
　　【請求項２】
　前記第１のサブ領域と前記第２のサブ領域とは、互いに異なる組成の蛍光体を含有する少なくとも２層の蛍光体層の積層体であり、垂直断面における厚みが互いに異なる請求項１に記載の照明装置。
　　【請求項３】
　出射される光の色度が、ＸＹＺ表色系のｘｙ色度図における黒体放射軌跡を含む請求項１または２に記載の照明装置。
　　【請求項４】
　前記複数の波長変換領域が蛍光体を含有するシリコーン系エラストマーからなる請求項１〜３の何れか１項に記載の照明装置。
　　【請求項５】
　前記波長変換領域を支持する支持基材を有する請求項１〜４の何れか１項に記載の照明装置。
　　【請求項６】
　前記ハウジング部材は、前記１枚の波長変換カバーを支持して前記面方向に移動させるスライド溝を有する請求項１〜５の何れか１項に記載の照明装置。」  
 　　 
 第３　原査定の理由について 
 １　原査定の理由の概要 
（１）この出願の請求項１、２、８〜１１、１３及び１５に係る発明（平成２６年４月２５日に提出された手続補正書により補正された請求項に係る発明）は、下記刊行物１に記載された発明であるか、あるいは下記刊行物１に記載された発明に基づいて当業者が容易に発明をすることができたものであるから、特許法第２９条第１項第３号に該当し、あるいは特許法第２９条第２項の規定により、特許を受けることができない。
（２）この出願の請求項３〜７、１２及び１４に係る発明（平成２６年４月２５日に提出された手続補正書により補正された請求項に係る発明）は、下記刊行物１及び２に記載された発明に基いて当業者が容易に発明をすることができたものであるから、特許法第２９条第２項の規定により特許を受けることができない。
   　
　　　　　記
　刊行物１：特開２００９−２４５７１２号公報 
　刊行物２：特開２００８−１８６７７７号公報  
 　 
２　当審の判断 
２−１　刊行物の記載事項
（１）刊行物１の記載事項 
　刊行物１には、以下の事項が記載されている（下線は当審で付与した。以下同様。）。  
（１ａ）「【請求項１】
　
ＬＥＤチップを光源として配置した基板と、
　
前記基板の前記光源側に配置される蛍光物質を含む透光性樹脂板とを有する照明器具において、
　
前記基板と前記透光性樹脂板とは対面するともに、両者を通る仮想軸を中心として少なくとも一方が回転可能なものとし、
　
前記基板には１つ以上のＬＥＤチップにより前記仮想軸を略基点とし直線状光源として設けられ、
　
前記透光性樹脂板は面上の前記仮想軸が通る点を略基点とし、前記直線状光源の延びる方向と同じ方向で２種類の蛍光体領域を有し、
　
２種類の前記蛍光体領域の境界線の位置が、前記基板又は、前記透光性樹脂板の少なくとも一方が前記仮想軸を中心として回転することにより、前記直線状光源上の前記直線状光源の延びる方向で変化することを特徴とする照明器具。
（１ｂ）「【０００１】
　本発明は、特に
光源としてＬＥＤを用いた照明器具に関する
（１ｃ）「【０００７】
　本発明は、上記事情に鑑み、
安価に多くの色温度に調整を行うことができる照明器具を提供することを目的とする
【課題を解決するための手段】
【０００８】
　
上記課題解決するために
前記透光性樹脂板は面上の前記仮想軸が通る点を略基点とし、前記直線状光源の延びる方向と同じ方向で２種類の蛍光体領域を有し、２種類の前記蛍光体領域の境界線の位置が、前記基板又は、前記透光性樹脂板の少なくとも一方が前記仮想軸を中心として回転することにより、前記直線状光源上の前記直線状光源の延びる方向で変化することを特徴とするものである。
【０００９】
　・・・
【００１０】
　・・・
【００１１】
　・・・
【発明の効果】
【００１２】
  本発明によれば、
簡易な構成により、多くに種類の色温度に調整を行うことができる照明器具を、安価に得ることができる
（１ｄ）「【００１３】
　
以下、本発明の第一の実施形態にについて、図１及至図４を参照して説明する。
【００１４】
　図１に示すように、本実施形態の照明器具１０は、直線状光源２を搭載した基板１と、この直線状光源２から照射される光を受ける上方に透光性樹脂に蛍光体を含有させた透光性樹脂板３を少なくとも有するものである。
【００１５】
　
この基板１と透光性樹脂板３は
ハウジングを設け、外周を摺動可能に支持することにより、保持されるものである。
【００１６】
　・・・
【００１７】
　次に、図２に示すものは、図１に示す照明器具１０のＡ−Ａ線に沿う断面を示すものであり、基板１上の直線状光源２から照射された光が透光性樹脂板３を透過できるよう配置されてなるものである。
【００１８】
　図３は、本実施形態の照明器具１０の基板１をさらに詳細に示す説明図であり、基板１は樹脂等からなり、必要により適宜な配線パターンを有する。この基板１上には、中心Ｏを基点として複数のＬＥＤチップ２ａが直線状に配置され、直線状光源２として前記基板１の半径と略同一の長さで配置されている。なお、ＬＥＤチップ２ａは厳密に中心Ｏが基点とならず、若干の間隔を設けて配置しても良いものである。
【００１９】
　
なお、本実施形態では、直線状光源２を複数のＬＥＤチップ２ａにより構成してなるものである
【００２０】
　図４は、本実施形態の照明器具１０に用いる透光性樹脂板３を詳細に示す説明であり、透光性樹脂に蛍光体を分散した材料によりなるものであり、
第一蛍光体領域３ａは本実施形態の場合、前記ＬＥＤチップ２ａの青色と蛍光体による略黄色により形成される白色の色温度が５０００Ｋとなるような蛍光体が用いられ
【００２１】
　また、
第二蛍光体領域３ｂは、本実施形態の場合、前記ＬＥＤチップ２ａの青色と蛍光体による略黄色により形成される白色の色温度が２８００Ｋとなるような蛍光体が用いられ
【００２２】
　・・・ 
【００２３】
　以上の構成により、
本実施形態による照明器具１０によれば、直線状光源２上に透光性樹脂板３が配置され、基板１または透光性樹脂板３が回転することにより、前記直線状光源２上の第一蛍光体領域３ａ及び第二蛍光体領域３ｂの占める割合が徐々に変化、即ち、境界線Ｍが直線状光源２上を移動することで、本照明器具１０から照射される照射光の色温度を２８００Ｋから５０００Ｋの範囲で、調整することが可能になる。
【００２４】
　
次に、図５に示すものは、本発明の第二の実施形態を示すものであり、上記第一の実施実施形態とは、透光性樹脂板３の構成が異なるのみであり
【００２５】
　・・・
【００２６】
　・・・
【００２７】
　以上の構成により、
第一の蛍光体領域３ａと第二の蛍光体領域３ｂの境界線Ｍ１〜Ｍ４が、４種類の位置に設けられるものとなる。
前記第一の実施形態と同様に、基板１上の直線状光源２と透光性樹脂板３の少なくとも一方を回転させその位置関係を変化させることにより、直線状光源２上の前記第一の蛍光体領域３ａと第二の蛍光体領域３ｂの割合が変化し、直線状光源２上に位置する境界線がＭ１〜Ｍ４に変化するごとにそれぞれの色温度を生じるものとなる。
（１ｅ）刊行物１には、以下の図が示されている。
 　
（２）刊行物２の記載事項
　刊行物２には、以下の事項が記載されている。
（２ａ）「【請求項１】
　
発光素子で発光した光の光路中に、第一の蛍光体が存在する領域と存在しない領域を持つ第一の部材と、第二の蛍光体が存在する領域と存在しない領域を持つ第二の部材が設けられるとともに、前記第一の蛍光体が存在する領域と前記第二の蛍光体が存在する領域の重なる面積が変更できるように、前記第一の部材と前記第二の部材が配置されたことを特徴とする照明装置。
（２ｂ）「【０００１】
　本発明は、
照明用光源装置に関する。
（２ｃ）「【００１３】
　
複数種類の蛍光体を用いて、異なる蛍光体の重なり合う面積を変えることで、大幅な色度変更が可能となり、自在な分光成分の制御ができる照明装置の提供が可能となる。
（２ｄ）「【００１５】
　本発明の第一の実施例の照明装置を図１〜図５を用いて説明する。
図１は、本発明による照明装置の光源部の構成を模式的に示す斜視図である。発光源１は基板２の上に表面実装されている。
【００１６】
　・・・
【００１７】
　
第一の蛍光層４を具備した第一の透明板３の上に、第二の蛍光層５を具備した第二の透明板６を配置する。
【００１８】
　
図２は、本発明の照明装置の光源の機能を示す模式的な断面図である。発光源１からでた発光光７は第一の蛍光層４を通ることで発光光と蛍光光の混色光になる。
【００１９】
　図３も本発明の照明装置の光源の機能を示す模式的な断面図である。図２と異なる点は第二の蛍光層５のある第二の透明基板の位置である。
図３は第一の混色光８の大部分が当たる位置に、第二の蛍光層５が配置されていたが、図３においては、第一の混色光の大部分は第二の蛍光層５にあたらない位置に第二の透明板６をスライドしてある。そのため、青成分と緑成分が抜けやすくなっている。
（２ｅ）刊行物２には、以下の図が示されている。
 
　
２−２　刊行物１に記載された発明
　刊行物１には、「光源としてＬＥＤを用いた照明器具に関する」技術について開示されるところ（摘示（１ｂ））、その特許請求の範囲の請求項１（摘示（１ａ））には、 
 「ＬＥＤチップを光源として配置した基板と、
　前記基板の前記光源側に配置される蛍光物質を含む透光性樹脂板とを有する照明器具において、
　前記基板と前記透光性樹脂板とは対面するともに、両者を通る仮想軸を中心として少なくとも一方が回転可能なものとし、
　前記基板には１つ以上のＬＥＤチップにより前記仮想軸を略基点とし直線状光源として設けられ、
　前記透光性樹脂板は面上の前記仮想軸が通る点を略基点とし、前記直線状光源の延びる方向と同じ方向で２種類の蛍光体領域を有し、
　２種類の前記蛍光体領域の境界線の位置が、前記基板又は、前記透光性樹脂板の少なくとも一方が前記仮想軸を中心として回転することにより、前記直線状光源上の前記直線状光源の延びる方向で変化することを特徴とする照明器具。」（摘示（１ａ））と記載されている。  
　また、刊行物１には、上記照明器具の実施の形態として、基板１と透光性樹脂板３は、外周がハウジングに摺動可能に支持されること（摘示（１ｄ）段落【００１５】）が記載されている。 
　
　以上によれば、刊行物１には、次の発明（以下「引用発明」という。）が記載されているといえる。
　なお、引用発明における各構成要素の符号は、引用発明に係る発明の実施の形態（摘示（１ｄ）（１ｅ））を参酌して付与した。
「ＬＥＤチップ２ａを光源として配置した基板１と、
　前記基板１の前記光源側に配置される蛍光物質を含む透光性樹脂板３とを有する照明器具１０において、
　前記基板１と前記透光性樹脂板３とは対面するともに、両者を通る仮想軸Ｌを中心として少なくとも一方が回転可能なものとし、
　前記基板１には１つ以上のＬＥＤチップ２ａにより前記仮想軸Ｌを略基点とし直線状光源２として設けられ、
　前記透光性樹脂板３は面上の前記仮想軸Ｌが通る点を略基点とし、前記直線状光源２の延びる方向と同じ方向で２種類の蛍光体領域３ａ、３ｂを有し、
　２種類の前記蛍光体領域３ａ、３ｂの境界線Ｍ、Ｍ１〜Ｍ４の位置が、前記基板１又は、前記透光性樹脂板３の少なくとも一方が前記仮想軸Ｌを中心として回転することにより、前記直線状光源２上の前記直線状光源２の延びる方向で変化するものであり、
　前記基板１と透光性樹脂板３は、外周がハウジングに摺動可能に支持される、照明装置。」
　
２−３　対比 
　本願発明１と引用発明とを対比する。  
ア　引用発明の「１つ以上のＬＥＤチップ２ａ」は、その実施の形態に照らして「複数のＬＥＤチップ２ａ」として特定することができるから（摘示（１ｄ）段落【００１９】）、本願発明１の「複数の発光ダイオード」に相当するものといえる。
イ　引用発明の「ＬＥＤチップ２ａを光源として配置した基板１」は、上記アをも踏まえると、本願発明１の「複数の前記発光ダイオードを配置した回路基板」に相当するものといえる。
ウ　引用発明の「ハウジング」と、本願発明１の「前記回路基板を収容し、且つ、複数の前記発光ダイオードの発光を出射させるための開口または光透過面を有するハウジング部材」とは、その技術的意義において、「ハウジング部材」の限度で共通するものといえる。
エ　引用発明の「蛍光物質を含む透光性樹脂板３」は、ＬＥＤチップ２ａから出射される光の色温度を調整するものであるから（摘示（１ｃ）、摘示（１ｄ）段落【００２３】、段落【００２７】）、光の波長変換機能を有することは技術的に明らかであり、それが１枚で構成されることも図１及び図２（摘示（１ｅ））に示されるとおり明らかである。
　さらに、引用発明は、「前記基板１と前記透光性樹脂板３とは対面するともに、両者を通る仮想軸Ｌを中心として少なくとも一方が回転可能なものとし」て構成されるものであるから、透光性樹脂板３は、基板１から隔離して、ＬＥＤチップ２ａを覆った状態で回転移動できるよう構成されたものと理解することができる。
　してみると、引用発明の上記「透光性樹脂板３」と本願発明１の「前記回路基板から隔離して、複数の前記発光ダイオードを覆った状態で移動できるように、前記開口または前記光透過面に配設された１枚の波長変換カバー」とは、「前記回路基板から隔離して、複数の前記発光ダイオードを覆った状態で移動できるように配設された１枚の波長変換カバー」の限度で共通するものといえる。
オ　引用発明の「蛍光物質を含む透光性樹脂板３」は、「面上の前記仮想軸Ｌが通る点を略基点とし、前記直線状光源２の延びる方向と同じ方向で２種類の蛍光体領域３ａ、３ｂを有し」て構成されるものであるところ、上記「２種類の蛍光体領域３ａ、３ｂ」は、それぞれ各発光波長に変換する「第一蛍光体領域３ａ」及び「第二蛍光体領域３ｂ」として位置付けされるものであり、それら蛍光体領域３ａ、３ｂの各蛍光体組成が異なることも明らかである（摘示（１ｄ）段落【００２０】、段落【００２１】）。
　そして、本願発明１における「前記１枚の波長変換カバーは、・・・第１のサブ領域と、・・・第２のサブ領域とを含む複数の波長変換領域を有し」との事項は、その技術的意義に照らして、「１枚の波長変換カバー」が「複数の波長変換領域を有し」て構成されるものであり、「複数の波長変換領域」のそれぞれが「第１のサブ領域と、・・・第２のサブ領域とを含む」構成であることを特定したものと解するのが相当であるから（本願明細書の段落【００１６】等にもそのように記載されている。）、引用発明において、「蛍光物質を含む透光性樹脂板３」を「面上の前記仮想軸Ｌが通る点を略基点とし、前記直線状光源２の延びる方向と同じ方向で２種類の蛍光体領域３ａ、３ｂを有し」て構成することと、本願発明１において、「前記１枚の波長変換カバーは、各前記発光ダイオードの発光波長を、第１の発光波長に変換する第１のサブ領域と、第２の発光波長に変換する第２のサブ領域とを含む複数の波長変換領域を有し、前記第１のサブ領域と前記第２のサブ領域とは、蛍光体組成、蛍光体量または厚みの少なくとも１つが互いに異な」るように構成することとは、「前記１枚の波長変換カバーは、各前記発光ダイオードの発光波長を、第１の発光波長に変換する第１のサブ領域と、第２の発光波長に変換する第２のサブ領域とを含む波長変換領域を有し、前記第１のサブ領域と前記第２のサブ領域とは、蛍光体組成、蛍光体量または厚みの少なくとも１つが互いに異な」るように構成する限度で共通するものといえる。
カ　引用発明は、「前記透光性樹脂板は面上の前記仮想軸が通る点を略基点とし、前記直線状光源の延びる方向と同じ方向で２種類の蛍光体領域を有し」て構成され、「２種類の前記蛍光体領域３ａ、３ｂの境界線の位置が、前記基板１又は、前記透光性樹脂板３の少なくとも一方が前記仮想軸Ｌを中心として回転することにより、前記直線状光源２上の前記直線状光源２の延びる方向で変化するもの」であるところ、かかる構成は、透光性樹脂板３の回転移動により、出射される光の発光色を変化させる構成ということもできるから、本願発明１の「複数の前記発光ダイオードは、それぞれ同時に前記第１のサブ領域または前記第２のサブ領域のいずれか一方に対向し、それぞれが前記第１のサブ領域に対向する位置から前記第２のサブ領域に対向する位置、または、それぞれが前記第２のサブ領域から前記第１のサブ領域に対向する位置に前記波長変換カバーを移動させることにより、出射される光の発光色が変化する」という構成と、「前記波長変換カバーを移動させることにより、出射される光の発光色が変化する」という限度で共通するものといえる。
  　
　したがって、本願発明１と引用発明とは、  
 「複数の発光ダイオードと、
　複数の前記発光ダイオードを配置した回路基板と、
　ハウジング部材と、
　前記回路基板から隔離して、複数の前記発光ダイオードを覆った状態で移動できるように配設された１枚の波長変換カバーと、を備え、
　前記１枚の波長変換カバーは、
　各前記発光ダイオードの発光波長を、第１の発光波長に変換する第１のサブ領域と、第２の発光波長に変換する第２のサブ領域とを含む波長変換領域を有し、
　前記第１のサブ領域と前記第２のサブ領域とは、蛍光体組成、蛍光体量または厚みの少なくとも１つが互いに異なり、
　前記波長変換カバーを移動させることにより、出射される光の発光色が変化する、照明装置。」  
　の点で一致し、以下の点で相違している。　　  
 　 　  
 〔相違点１〕  
　「ハウジング部材」に対する「回路基板」及び「波長変換カバー」設置構成について、
　本願発明１は、「ハウジング部材」が「前記回路基板を収容し、且つ、複数の前記発光ダイオードの発光を出射させるための開口または光透過面を有する」ものとして構成され、「波長変換カバー」が「前記開口または前記光透過面に配設され」るものであるのに対し、
　引用発明は、「前記基板１と透光性樹脂板３は、外周がハウジングに摺動可能に支持される」ものである点。
  　
〔相違点２〕  
　「波長変換カバー」の構成及びその作動の態様について、
　本願発明１は、「波長変換カバー」が「第１のサブ領域と第２のサブ領域とを含む複数の波長変換領域を有」するものとして構成され、「複数の前記発光ダイオードは、それぞれ同時に前記第１のサブ領域または前記第２のサブ領域のいずれか一方に対向し、それぞれが前記第１のサブ領域に対向する位置から前記第２のサブ領域に対向する位置、または、それぞれが前記第２のサブ領域から前記第１のサブ領域に対向する位置に前記波長変換カバーを移動させる」ように作動させるのに対し、
　引用発明は、「前記透光性樹脂板３は面上の前記仮想軸Ｌが通る点を略基点とし、前記直線状光源２の延びる方向と同じ方向で２種類の蛍光体領域３ａ、３ｂを有」するものとして構成され、「２種類の前記蛍光体領域の境界線の位置が、前記基板又は、前記透光性樹脂板の少なくとも一方が前記仮想軸を中心として回転することにより、前記直線状光源上の前記直線状光源の延びる方向で変化する」ように作動させる点。
     　
２−４　判断  
　事案に鑑み、上記相違点２について検討する。  
（１）刊行物１の記載によれば、引用発明は、「安価に多くの色温度に調整を行うことができる照明器具を提供すること」（摘示（１ｃ）段落【０００７】）を解決課題とし、かかる課題を解決するために、少なくとも「前記透光性樹脂板は面上の前記仮想軸が通る点を略基点とし、前記直線状光源の延びる方向と同じ方向で２種類の蛍光体領域を有し、２種類の前記蛍光体領域の境界線の位置が、前記基板又は、前記透光性樹脂板の少なくとも一方が前記仮想軸を中心として回転することにより、前記直線状光源上の前記直線状光源の延びる方向で変化する」という解決手段（以下「構成Ａ」という。）を採用したことが明らかである（摘示（１ｃ）段落【０００８】）。
　さらに、その効果は、「簡易な構成により、多くに種類の色温度に調整を行うことができる照明器具を、安価に得ることができる」（摘示（１ｃ）段落【００１２】）というものであり、より具体的には、「直線状光源２上に透光性樹脂板３が配置され、基板１または透光性樹脂板３が回転することにより、前記直線状光源２上の第一蛍光体領域３ａ及び第二蛍光体領域３ｂの占める割合が徐々に変化、即ち、境界線Ｍが直線状光源２上を移動することで、本照明器具１０から照射される照射光の色温度を２８００Ｋから５０００Ｋの範囲で、調整することが可能になる。」（摘示（１ｄ）段落【００２３】）、及び「基板１上の直線状光源２と透光性樹脂板３の少なくとも一方を回転させその位置関係を変化させることにより、直線状光源２上の前記第一の蛍光体領域３ａと第二の蛍光体領域３ｂの割合が変化し、直線状光源２上に位置する境界線がＭ１〜Ｍ４に変化するごとにそれぞれの色温度を生じるものとなる。」（摘示（１ｄ）段落【００２７】）というものであるから、引用発明は、上記構成Ａを前提とし、直線状光源上の２種類の蛍光体領域の占める割合を変化させることで一の発明としての作用効果を奏するものといえる。
　そして、上記構成Ａは、「前記透光性樹脂板は面上の前記仮想軸が通る点を略基点とし、前記直線状光源の延びる方向と同じ方向で２種類の蛍光体領域を有」するものとして構成することに意義があり、そもそも２種類の蛍光体領域を含む波長変換領域を「複数」設けることは想定されるものではない。さらに、上記構成Ａは「２種類の前記蛍光体領域の境界線の位置が、前記基板又は、前記透光性樹脂板の少なくとも一方が前記仮想軸を中心として回転することにより、前記直線状光源上の前記直線状光源の延びる方向で変化する」ように作動させることに意義があり、そもそも直線状光源を複数のＬＥＤチップにて構成した場合に、それらＬＥＤチップが「それぞれ同時に２種類の蛍光体領域のいずれか一方に対向するように波長変換カバー（蛍光物質を含む透光性樹脂板）を移動させる」ように作動させることを企図するものでもない。
　したがって、引用発明に基づいて、上記相違点２に係る本願発明１の構成が当業者にとって容易想到ということはできない。
（２）また、刊行物２には、発光素子で発光した光の光路中に、第一の蛍光体が存在する領域と存在しない領域を持つ第一の部材と、第二の蛍光体が存在する領域と存在しない領域を持つ第二の部材が設けられるとともに、前記第一の蛍光体が存在する領域と前記第二の蛍光体が存在する領域の重なる面積が変更できるように、前記第一の部材と前記第二の部材が配置された照明装置が記載されているが（摘示（２ａ））、かかる照明装置は、第一の蛍光体が存在する領域と存在しない領域を持つ第一の部材と、第二の蛍光体が存在する領域と存在しない領域を持つ第二の部材とを具備することを前提として、第一部材と第二部材との異なる蛍光体の重なり合う面積を変えることで色度変更を可能とするものであるから（摘示（２ｃ））、かかる構成と、本願発明１における「第１のサブ領域と第２のサブ領域とを含む複数の波長変換領域を有」する「波長変換カバー」を用いて、「複数の前記発光ダイオードは、それぞれ同時に前記第１のサブ領域または前記第２のサブ領域のいずれか一方に対向し、それぞれが前記第１のサブ領域に対向する位置から前記第２のサブ領域に対向する位置、または、それぞれが前記第２のサブ領域から前記第１のサブ領域に対向する位置に前記波長変換カバーを移動させる」構成とは、技術的に異なることが明らかである。
　したがって、引用発明において、刊行物２に記載された技術事項を参考としても、上記相違点２に係る本願発明１の構成に至るものではない。 
（３）そして、本願発明１は、上記相違点２に係る「波長変換カバー」の構成及びその作動の態様によって、「光源自身を置き換えることなく、照明光の色を適宜変更することができる照明装置を提供することができる」（段落【００１２】）との効果、より具体的には、「波長変換カバー２のＬＥＤ１に対する対向領域を変更することにより、発光色（例えば、白色と電球色）を変化させることができる。このような波長変換カバー２を用いることにより、ＬＥＤ照明装置１０のＬＥＤ１自身を置き換えることなく、発光色を変化させることができる。従って、ＬＥＤ照明装置１０を設置した場合において、照明の雰囲気を変えたくなった場合には、波長変換カバー２をスライドさせるだけで発光色を変化することができる。」（段落【００２５】）という格別の効果を奏するものである。 
　 
２−５　小活 
　以上のとおり、本願発明１は引用発明と相違点１及び２において相違するものであるから、本願発明１は刊行物１に記載された発明であるということはできないし、また、上記「２−４」で述べたとおり相違点２は容易想到とはいえないものであるから、その余の相違点１を検討するまでもなく、本願発明１は、刊行物１に記載された発明に基づいて、あるいは刊行物１及び刊行物２に記載された発明に基づいて当業者が容易に発明をすることができたものとはいえない。
　また、本願発明２〜６は、本願発明１をさらに限定したものであるから、本願発明１と同様に当業者が容易に発明をすることができたとはいえない。 
　よって、原査定の理由によっては、本願を拒絶することができない。 
 　 　 　  
第４　当審拒絶理由について 
１　当審拒絶理由の概要 
　この出願は、特許請求の範囲の記載が、特許法第３６条第６項第２号に適合するものではなく、特許法第３６条第６項に規定する要件を満たしていない。  
 　 
２　当審拒絶理由の判断 
　平成２８年１１月２８日付けの手続補正により、本願の請求項１〜６は、上記「第２」のとおり補正され、この補正により、上記理由は解消した。 
　     　
 第５　むすび 
 　以上のとおり、原査定の理由及び当審の拒絶理由によっては、本願を拒絶することはできない。 
 　また、他に本願を拒絶すべき理由を発見しない。 
 　よって、結論のとおり審決する。